(57)【要約】メインベアリングメタル（４１）は、メインベアリングメタル平面部（４２）と、周方向に沿ったメインベアリングメタル側油溝（４３）が内周面の全長に亙って形成されたメインベアリングメタル油溝部（４４）と、一端がメインベアリングメタル側油溝（４３）に開口し、他端がシリンダブロックのオイルギャラリからクランクシャフト軸受部（１２）に至るブロック内油通路（２７）の下端と連通する第１油穴（４８）と、一端がメインベアリングメタル側油溝（４３）に開口し、他端がクランクシャフト軸受部（１２）からコントロールシャフト軸受部（１７）に至るキャップ内油通路（２８）の上端と連通する第２油穴（４９）と、を有する。
2016024308.tif 000002
【特許請求の範囲】
【請求項１】
ブロックと第１ベアリングキャップとで構成される第１シャフト軸受部にベアリングメタルを介して回転可能に支持される第１シャフトと、上記第１ベアリングキャップと第２ベアリングキャップとで構成される第２シャフト軸受部に回転可能に支持される第２シャフトと、上記ブロック内部に形成され、該ブロックのオイルギャラリから上記第１シャフト軸受部に至るブロック内油通路と、上記第１ベアリングキャップ内部に形成され、上記第１シャフト軸受部から上記第２シャフト軸受部に至るキャップ内油通路と、を有する軸受構造において、
上記ベアリングメタルは、内周面全体で上記第１シャフトを回転可能に支持するベアリングメタル平面部と、周方向に沿った油溝が内周面の全長に亙って形成されたベアリングメタル油溝部と、一端が上記油溝に開口し、他端が上記ブロック内油通路の下端と連通する第１油穴と、一端が上記油溝に開口し、他端が上記キャップ内油通路の上端と連通する第２油穴と、を有する軸受構造。
【請求項２】
上記ベアリングメタルは、半割状の一対のベアリングメタル部材からなり、
ブロック側の上部ベアリングメタル部材は、上記ベアリングメタル油溝部のみからなり、
第１ベアリングキャップ側の下部ベアリングメタル部材は、上記ベアリングメタル平面部と周方向の一端部を構成する上記ベアリングメタル油溝部とからなり、
上記第１油穴は、上記上部ベアリングメタル部材に設けられ、
上記第２油穴は、上記下部ベアリングメタル部材に設けられている請求項１に記載の軸受構造。
【請求項３】
上記ベアリングメタルは、半割状の一対のベアリングメタル部材からなり、
ブロック側の上部ベアリングメタル部材は、上記ベアリングメタル油溝部のみからなり、
第１ベアリングキャップ側の下部ベアリングメタル部材は、上記ベアリングメタル平面部と、周方向の一端部及び他端部を構成する上記ベアリングメタル油溝部とからなり、
上記第１油穴は、上記上部ベアリングメタル部材に設けられ、
上記第２油穴は、上記下部ベアリングメタル部材の一方の端部を構成する上記ベアリングメタル油溝部に設けられている請求項１に記載の軸受構造。
【請求項４】
内燃機関のクランクシャフトに回転可能に支持されたロアリンクと、このロアリンクの一端部とピストンピンとを連結するアッパリンクと、上記ロアリンクの他端部とコントロールシャフトとを連結するコントロールリンクと、を有する内燃機関の複リンク式ピストンクランク機構を備え、
上記ブロックは、内燃機関のシリンダブロックであり、
上記第１シャフトは、上記クランクシャフトであり、
上記第２シャフトは、上記コントロールシャフトである請求項１〜３のいずれかに記載の軸受構造。
【請求項５】
燃焼圧が最大のときに、上記クランクシャフトに作用する荷重方向に、上記ベアリングメタル平面部が位置するよう設定されている請求項４に記載の軸受構造。
【発明の詳細な説明】
【技術分野】
【０００１】
本発明は、軸受構造に関し、例えば複リンク式ピストンクランク機構におけるクランクシャフトの軸受構造に関する。
【背景技術】
【０００２】
例えば、特許文献１には、内燃機関におけるピストンクランク機構として、クランクシャフトのクランクピンに支持されたロアリンクと、このロアリンクの一端部とピストンピンとを連結するアッパリンクと、ロアリンクの他端部とコントロールシャフトの偏心軸部とを連結するコントロールリンクと、を備えた複リンク式ピストンクランク機構が開示されている。【０００３】
このような複リンク式ピストンクランク機構では、クランクシャフトとコントロールシャフトとをそれぞれ回転可能に支持する必要がある。そのため特許文献１では、シリンダブロックのバルクヘッドとメインベアリングキャップとの間でクランクシャフトを支持するとともに、メインベアリングキャップの下側にコントロールシャフトベアリングキャップを取り付け、メインベアリングキャップとコントロールシャフトベアリングキャップとの間でコントロールシャフトを支持するようにした軸受構造が開示されている。【０００４】
そして、上記コントロールシャフトベアリングキャップは、複数個のベアリングキャップを機関前後方向に延びたビーム部でもって梯子状に連結したベアリングビーム構造をなしており、ビーム部内に形成されたオイルギャラリからコントロールシャフト軸受部にそれぞれ潤滑油が供給される構成となっている。【０００５】
しかしながら、この特許文献１のようにビーム部内を通してコントロールシャフト軸受部に潤滑油供給を行う構成では、コントロールシャフトベアリングキャップをベアリングビーム構造とすることが必須となり、設計の自由度が少ない。
【先行技術文献】
【特許文献】
【０００６】
【特許文献１】特開２００４−１１６４３４号公報
【発明の概要】
【０００７】
本発明に係る軸受構造は、ブロックと第１ベアリングキャップとで構成される第１シャフト軸受部に第１シャフトを回転可能に支持するベアリングメタルと、第２シャフトを回転可能に支持する第２シャフト軸受部と、を有している。そして、ベアリングメタルは、内周面全体で上記第１シャフトを回転可能に支持するベアリングメタル平面部と、周方向に沿った油溝が内周面の全長に亙って形成されたベアリングメタル油溝部と、一端が上記油溝に開口し、他端がブロックのオイルギャラリから上記第１シャフト軸受部に至るブロック内油通路の下端と連通する第１油穴と、一端が上記油溝に開口し、他端が上記第１シャフト軸受部から第２シャフト軸受部に至るキャップ内油通路の上端と連通する第２油穴と、を有する。
【０００８】
本発明によれば、ブロックのオイルギャラリから第１シャフト軸受部を経由して第２シャフト軸受部へ潤滑油が供給されるので、第２シャフト軸受部の設計自由度が高くなる。
【図面の簡単な説明】
【０００９】
【図１】本発明が適用される複リンク式ピストンクランク機構の概略構成を模式的に示した説明図。
【図２】本発明に係る軸受構造の概略を示す断面図。
【図３】クランクシャフト軸受部及びコントロールシャフト軸受部の油路の詳細を示す断面図。
【図４】メインベアリングキャップに形成されたクランクシャフト軸受部の斜視図。
【図５】メインベアリングメタルの斜視図。
【図６】図２のＡ−Ａ線に沿った断面図。
【図７】図２のＢ−Ｂ線に沿った断面図。
【発明を実施するための形態】
【００１０】
以下、この発明の一実施例を図面に基づいて詳細に説明する。
【００１１】
図１は、本発明が適用される複リンク式ピストンクランク機構１の概略構成を模式的に示した説明図である。この複リンク式ピストンクランク機構１は、クランクピン２に回転可能に取り付けられたロアリンク３と、このロアリンク３とピストン４とを連結するアッパリンク５と、偏心軸部６が設けられた第２シャフトとしてのコントロールシャフト７と、偏心軸部６とロアリンク３とを連結するコントロールリンク８と、を有している。
【００１２】
第１シャフトとしてのクランクシャフト９は、ブロックとしてのシリンダブロック１０と第１ベアリングキャップとしてのメインベアリングキャップ１１とで構成される第１シャフト軸受部としてのクランクシャフト軸受部１２に回転可能に支持されている。
【００１３】
アッパリンク５は、一端がピストンピン１３を介してピストン４に回転可能に連結され、他端が第１連結ピン１４を介してロアリンク３の一端部に回転可能に連結されている。
【００１４】
コントロールリンク８は、一端が第２連結ピン１５を介してロアリンク３の他端部に回転可能に連結され、他端が偏心軸部６に回転可能に連結されている。
【００１５】
コントロールシャフト７は、クランクシャフト９の下側にクランクシャフト９と平行に配置されており、メインベアリングキャップ１１と第２ベアリングキャップとしてのコントロールシャフトベアリングキャップ１６とで構成される第２シャフト軸受部としてのコントロールシャフト軸受部１７において回転可能に支持されている。このコントロールシャフト７は、図示せぬアクチュエータによって回転駆動され、その回転位置が制御されている。なお、上記アクチュエータは、例えば、電動モータであっても油圧駆動式のアクチュエータであってもよい。
【００１６】
この複リンク式ピストンクランク機構１においては、コントロールシャフト７が、上記アクチュエータによって回転すると、偏心軸部６の中心位置が変化し、コントロールリンク８の他端の揺動支持位置が変化する。そして、コントロールリンク８の揺動支持位置が変化すると、シリンダ１８内のピストン４の行程が変化し、ピストン上死点（ＴＤＣ）におけるピストン４の位置が高くなったり低くなったりする。これにより、機関圧縮比を変えることが可能となる。
【００１７】
図２に示すように、メインベアリングキャップ１１は、シリンダブロック１０の下縁、詳しくは各気筒間のバルクヘッド２１の下縁に、３本のボルト２２、２３、２４で取り付けられている。また、コントロールシャフトベアリングキャップ１６は、メインベアリングキャップ１１の下縁に取り付けられている。詳述すると、３本のボルト２２〜２４の中の２本のボルト２３、２４が、メインベアリングキャップ１１及びコントロールシャフトベアリングキャップ１６の双方を貫通しており、いわゆる共締めの形でメインベアリングキャップ１１とコントロールシャフトベアリングキャップ１６とがシリンダブロック１０に固定されている。２本のボルト２３、２４は、図２に示すように、それぞれ円形の開口部となるクランクシャフト軸受部１２及びコントロールシャフト軸受部１７の両側を通過している。メインベアリングキャップ１１とバルクヘッド２１との接合面及びメインベアリングキャップ１１とコントロールシャフトベアリングキャップ１６との接合面は、互いに平行であり、いずれもシリンダ１８の中心軸線Ｌに対し直交した平面に沿っている。
【００１８】
なお、ボルト２２〜２４としては、頭部を備えた通常のボルトであってもよく、あるいは、ナットと組み合わせて用いられるスタッドボルトであってもよい。
【００１９】
次に、クランクシャフト軸受部１２及びコントロールシャフト軸受部１７に対する潤滑油の供給系統について説明する。
【００２０】
図２に示すように、シリンダブロック１０の内部に、気筒列方向に直線状に延びたオイルギャラリ２５が形成されている。このオイルギャラリ２５は、コントロールリンク８側のスカート部上縁部付近に位置し、オイル供給通路２６を介して図示せぬオイルポンプの吐出側に連通している。
【００２１】
このオイルギャラリ２５には、ブロック内油通路２７が接続されている。ブロック内油通路２７は、バルクヘッド２１の内部を通り、オイルギャラリ２５からクランクシャフト軸受部１２へ潤滑油を供給するものである。ブロック内油通路２７は、シリンダブロック１０下面側からドリル加工された直線状の油通路であり、オイルギャラリ２５から円形をなすクランクシャフト軸受部１２の頂部を指向するように、シリンダ１８の中心軸線Ｌに対し傾斜している。
【００２２】
また、メインベアリングキャップ１１の内部には、クランクシャフト軸受部１２に供給された潤滑油の一部をコントロールシャフト軸受部１７に供給するキャップ内油通路２８が形成されている。
【００２３】
キャップ内油通路２８は、メインベアリングキャップにドリル加工された直線状の油通路であり、上端がクランクシャフト軸受部１２のコントロールリンク８側の側部に開口し、下端が円形をなすコントロールシャフト軸受部１７の頂部に開口している。キャップ内油通路２８は、シリンダ１８の中心軸線Ｌに対し傾斜している。
【００２４】
ここで、図２に示すように、シリンダ１８の中心軸線Ｌを直立させた姿勢においては、クランクシャフト軸受部１２の中心とコントロールシャフト軸受部１７の中心とが左右方向に僅かにオフセットしている。具体的には、コントロールシャフト軸受部１７の中心がクランクシャフト軸受部１２の中心よりも図２における右側つまりコントロールリンク８側に僅かに片寄って位置している。
【００２５】
なお、図２等から明らかなように、コントロールシャフト７の径（詳しくはジャーナル部の径）はクランクシャフト９の径（詳しくはジャーナル部の径）よりも小径である。
【００２６】
次に、図３〜図７を用いて、クランクシャフト軸受部１２及びコントロールシャフト軸受部１７における油路を説明する。なお、図３は、図示の都合上、クランクシャフト軸受部１２とコントロールシャフト軸受部１７とを近づけて描いてあり、従って、キャップ内油通路２８が本来の寸法よりも短いものとなっている。
【００２７】
図３に示すように、クランクシャフト軸受部１２は、バルクヘッド２１に形成された断面半円形のシリンダブロック側軸受面３１と、メインベアリングキャップ１１に形成された断面半円形のメインベアリングキャップ側軸受面３２と、によって構成されている。
【００２８】
シリンダブロック側軸受面３１には、ブロック内油通路２７の下端が開口している。メインベアリングキャップ側軸受面３２には、図３、図４に示すように、その周方向の一端側に、周方向に沿ったメインベアリングキャップ側油溝３４が形成されている。メインベアリングキャップ側油溝３４は、図４に示すように、クランクシャフト軸受部１２の軸方向の中心に位置している。このメインベアリングキャップ側油溝３４には、キャップ内油通路２８の上端が開口している。なお、図４中の３６は、ボルト２４が挿入されるボルト穴である。
【００２９】
そして、このようなシリンダブロック側軸受面３１とメインベアリングキャップ側軸受面３２とにより構成されたクランクシャフト軸受部１２には、ベアリングメタルとしてのメインベアリングメタル４１が装着されている。つまり、クランクシャフト９は、このメインベアリングメタル４１を介してクランクシャフト軸受部１２に回転可能に支持されている。
【００３０】
図３及び図５に示すように、メインベアリングメタル４１は、内周面全体でクランクシャフトを回転可能に支持するベアリングメタル平面部としてのメインベアリングメタル平面部４２と、周方向に沿ったメインベアリングメタル側油溝４３が内周面の全長に亙って形成されたベアリングメタル油溝部としてのメインベアリングメタル油溝部４４と、を有している。換言すると、メインベアリングメタル４１は、内周面にメインベアリングメタル側油溝４３が形成されたメインベアリングメタル油溝部４４と、内周面にメインベアリングメタル側油溝４３が形成されていないメインベアリングメタル平面部４２と、から構成されている。メインベアリングメタル側油溝４３は、図６及び図７に示すように、メインベアリングメタル４１の軸方向（図６、図７における上下方向）の中心に位置している。
【００３１】
メインベアリングメタル４１は、半割状の一対のベアリングメタル部材としてのメインベアリングメタル部材４５、４６からなっている。上部ベアリングメタル部材としての上部メインベアリングメタル部材４５は、半円筒形状を呈し、シリンダブロック側軸受面３１に対して回転しないように装着されている。下部ベアリングメタル部材としての下部メインベアリングメタル部材４６は、半円筒形状を呈し、メインベアリングキャップ側軸受面３２に対して回転しないように装着されている。
【００３２】
なお、クランクシャフト軸受部１２の内周面とメインベアリングメタル４１の外周面との間には、メインベアリングメタル４１の回転を防止するために、例えば爪状をなす係合部等が設けられているが、図示は省略されている。
【００３３】
上部メインベアリングメタル部材４５の内周面には、当該内周面の周方向に沿って延びるメインベアリングメタル側油溝４３が全長に亙って形成されている。つまり、上部メインベアリングメタル部材４５は、上述したメインベアリングメタル油溝部４４のみから構成されている。
【００３４】
上部メインベアリングメタル部材４５には、ブロック内油通路２７の下端開口部２７ａに対応する位置に、第１油穴４８が開口形成されている。第１油穴４８は、周方向の中心位置に形成され、一端がメインベアリングメタル側油溝４３に開口し、他端がブロック内油通路２７の下端と連通している。
【００３５】
なお、上部メインベアリングメタル部材４５は、周方向の中心位置を挟んで形状が対称となるよう形成されているので、組み付け時に向きを考慮しなくても第１油穴４８が所期の位置となり、シリンダブロック側軸受面３１への組み付け作業が容易となっている。
【００３６】
下部メインベアリングメタル部材４６は、周方向の一端部及び他端部がメインベアリングメタル油溝部４４となり、残りの部分がメインベアリングメタル平面部４２となっている。
【００３７】
下部メインベアリングメタル部材４６には、メインベアリングキャップ側軸受面３２に形成されたメインベアリングキャップ側油溝３４に対応する位置に、第２油穴４９が開口形成されている。
【００３８】
本実施例では、下部メインベアリングメタル部材４６の周方向の両端のメインベアリングメタル油溝部４４に、それぞれ第２油穴４９が形成されている。つまり、下部メインベアリングメタル部材４６は、周方向の中心位置を挟んで対称となる２箇所に第２油穴４９がそれぞれ開口形成され、周方向の中心位置を挟んで形状が対称となるように形成されている。
【００３９】
そのため、下部メインベアリングメタル部材４６は、組み付け時に向きを考慮しなくても、２つの第２油穴４９のうちの一方は所期の位置となり、シリンダブロック側軸受面３１への組み付け作業が容易となっている。なお、２つの第２油穴４９のうちの他方は、メインベアリングキャップ側油溝３４と連通することはない。
【００４０】
コントロールシャフト軸受部１７は、メインベアリングキャップ１１に形成された断面半円形のメインベアリングキャップ側軸受面５１と、コントロールシャフトベアリングキャップ１６に形成された断面半円形のコントロールシャフトベアリングキャップ側軸受面５２と、によって構成されている。
【００４１】
メインベアリングキャップ側軸受面３２には、キャップ内油通路２８の下端が開口している。
【００４２】
そして、このようなメインベアリングキャップ側軸受面５１とコントロールシャフトベアリングキャップ側軸受面５２とにより構成されたコントロールシャフト軸受部１７には、コントロールシャフトベアリングメタル５３が装着されている。つまり、コントロールシャフト７は、コントロールシャフトベアリングメタル５３を介してコントロールシャフト軸受部１７に回転可能に支持されている。
【００４３】
図３に示すように、コントロールシャフトベアリングメタル５３の内周面には、周方向に沿った油溝５４が内周面の全長に亙って形成されている。この油溝５４は、コントロールシャフトベアリングメタル５３の軸方向の中心に位置している。
【００４４】
コントロールシャフトベアリングメタル５３は、半割状の一対のコントロールシャフトベアリングメタル部材５５、５５からなっている。一対のコントロールシャフトベアリングメタル部材５５、５５は、部品としては同一の構成である。
【００４５】
コントロールシャフトベアリングメタル部材５５は、半円筒形状を呈し、メインベアリングキャップ側軸受面５１及びコントロールシャフトベアリングキャップ側軸受面５２に対して回転しないように装着されている。
【００４６】
コントロールシャフトベアリングメタル部材５５は、周方向の中心位置に、第３油穴５６が開口形成されている。この第３油穴５６は、一端が油溝５４に開口している。また第３油穴５６は、コントロールシャフトベアリングメタル部材５５の軸方向の中心に位置するようにも形成されていることから、２個のコントロールシャフトベアリングメタル５３をどのように組み付けても、上側の第３油穴５６がキャップ内油通路２８と必ず合致する。
【００４７】
つまり、コントロールシャフトベアリングメタル部材５５は、周方向の中心位置を挟んで形状が対称となるよう形成されているので、組み付け時に向きを考慮しなくても第３油穴５６が所期の位置となり、メインベアリングキャップ側軸受面５１及びコントロールシャフトベアリングキャップ側軸受面５２への組み付け作業が容易となっている。
【００４８】
また、コントロールシャフト軸受部１７の内周面とコントロールシャフトベアリングメタル５３の外周面との間には、コントロールシャフトベアリングメタル５３の回転を防止するために、例えば爪状をなす係合部等が設けられているが、図示は省略されている。
【００４９】
上記のような構成においては、オイルギャラリ２５内の高圧の潤滑油がブロック内油通路２７を介してクランクシャフト軸受部１２へ供給される。クランクシャフト軸受部１２では、メインベアリングメタル４１の第１油穴４８から内周側のメインベアリングメタル側油溝４３に潤滑油が導かれ、クランクシャフト９とメインベアリングメタル４１との摺動面が潤滑される。
【００５０】
メインベアリングメタル側油溝４３に供給された潤滑油の一部は、クランクシャフト軸受部１２下部の第２油穴４９から外周側のメインベアリングキャップ側油溝３４に導かれる。メインベアリングキャップ側油溝３４に導入された潤滑油は、キャップ内油通路２８に入りコントロールシャフト軸受部１７へ供給される。
【００５１】
コントロールシャフト軸受部１７では、コントロールシャフトベアリングメタル５３の第３油穴５６から内周側の油溝５４に潤滑油が導かれ、油溝５４を介して、コントロールシャフト７とコントロールシャフトベアリングメタル５３との摺動面が全周に亘って確実に潤滑される。
【００５２】
このように、本実施例においては、シリンダブロック１０のオイルギャラリ２５からクランクシャフト軸受部１２を経由してコントロールシャフト軸受部１７へ潤滑油が供給されるので、コントロールシャフトベアリングキャップ１６を必ずしも上述したベアリングビーム構造とする必要がなく、設計の自由度が高くなるとともに、油路の構成が簡素となる。
【００５３】
また、メインベアリングメタル４１の内周面の全周にメインベアリングメタル側油溝４３が形成されていないので、メインベアリングメタル４１の剛性が相対的に向上し、ひいてはクランクシャフト軸受部１２の剛性を相対的に向上させることができる。そのため、内燃機関の高出力化に伴いクランクシャフト９からの荷重入力が増大しても、クランクシャフト軸受部１２に要求される剛性を確保することができる。
【００５４】
燃焼サイクルにおいて燃焼圧が最大となるときに、クランクシャフト９は、矢印Ｆ１（図３参照）方向の荷重を受ける。下部メインベアリングメタル部材４６において、メインベアリング油溝部４４は、シリンダ軸線方向下向き（図３における下向き）のこのような荷重方向Ｆ１から外れた周方向位置に配置されている。そのため、クランクシャフト９とメインベアリングメタル４１との摺動面での面圧が相対的に小さくなるメインベアリングメタル平面部４２で、燃焼圧が最大となるときにクランクシャフト９に作用する荷重を受けることができる。つまり、燃焼圧が最大となるときに、メインベアリングキャップ側油溝３４に起因した摺動面の面圧増加の影響を回避することができる。
【００５５】
また、上述した実施例では、下部メインベアリングメタル部材４６が周方向の中心位置を挟んで形状が対称となるよう形成されているが、下部メインベアリングメタル部材４６の周方向の一端部側のみをメインベアリングメタル油溝部４４としてもよい。この場合には、キャップ内油通路２８側にメインベアリングメタル油溝部４４が位置するように、下部メインベアリングメタル部材４６をシリンダブロック側軸受面３１に組み付ければよい。
【図１】
2016024308.tif 000003
【図２】
2016024308.tif 000004
【図３】
2016024308.tif 000005
【図４】
2016024308.tif 000006
【図５】
2016024308.tif 000007
【図６】
2016024308.tif 000008
【図７】
2016024308.tif 000009
【手続補正書】
【提出日】平成27年8月7日(2015.8.7)
【手続補正１】
【補正対象書類名】特許請求の範囲
【補正対象項目名】全文
【補正方法】変更
【補正の内容】
【特許請求の範囲】
【請求項１】
内燃機関のシリンダブロックと第１ベアリングキャップとで構成されるクランクシャフト軸受部にベアリングメタルを介して回転可能に支持されるクランクシャフトと、上記第１ベアリングキャップと第２ベアリングキャップとで構成される第２シャフト軸受部に回転可能に支持される第２シャフトと、を有する軸受構造において、
上記ベアリングメタルは、内周面全体で上記クランクシャフトを回転可能に支持するベアリングメタル平面部と、周方向に沿った油溝が内周面に形成されたベアリングメタル油溝部と、を有するとともに、上記油溝に開口する第１油穴および第２油穴を有し、上記ベアリングメタル平面部は、燃焼圧が最大のとき上記クランクシャフトに作用する荷重の方向に位置し、
上記シリンダブロックには、上記第１油穴と連通し、当該シリンダブロックのオイルギャラリから上記クランクシャフト軸受部にオイルを供給するブロック内油通路が形成され、
上記第１ベアリングキャップには、上記第２油穴と連通し、上記クランクシャフト軸受部から上記第２シャフト軸受部にオイルを供給するキャップ内油通路が形成されている軸受構造。
【請求項２】
上記ベアリングメタルは、半割状の一対のベアリングメタル部材からなり、
シリンダブロック側の上部ベアリングメタル部材は、上記ベアリングメタル油溝部のみからなり、
第１ベアリングキャップ側の下部ベアリングメタル部材は、上記ベアリングメタル平面部と周方向の一端部を構成する上記ベアリングメタル油溝部とからなり、
上記第１油穴は、上記上部ベアリングメタル部材に設けられ、
上記第２油穴は、上記下部ベアリングメタル部材に設けられている請求項１に記載の軸受構造。
【請求項３】
上記ベアリングメタルは、半割状の一対のベアリングメタル部材からなり、
シリンダブロック側の上部ベアリングメタル部材は、上記ベアリングメタル油溝部のみからなり、
第１ベアリングキャップ側の下部ベアリングメタル部材は、上記ベアリングメタル平面部と、周方向の一端部及び他端部を構成する上記ベアリングメタル油溝部とからなり、
上記第１油穴は、上記上部ベアリングメタル部材に設けられ、
上記第２油穴は、上記下部ベアリングメタル部材の一方の端部を構成する上記ベアリングメタル油溝部に設けられている請求項１に記載の軸受構造。
【請求項４】
上記内燃機関は、クランクシャフトのクランクピンに回転可能に支持されたロアリンクと、このロアリンクの一端部とピストンピンとを連結するアッパリンクと、上記ロアリンクの他端部とコントロールシャフトとを連結するコントロールリンクと、を有する複リンク式ピストンクランク機構を備え、
上記第２シャフトは、上記コントロールシャフトである請求項１〜３のいずれかに記載の軸受構造。
【国際調査報告】
2016024308.tif 000010
2016024308.tif 000011
2016024308.tif 000012